(57)【特許請求の範囲】
【請求項１】
カーテンレールに沿って移動可能に設けられたランナーに吊支され、複数の短冊状カーテンを吊り下げるカーテン吊りハンガーであって、
前記ランナーに掛止される掛止部材と、
前記短冊状カーテンを保持するとともに、前記掛止部材に取り付けられ、一面に第１ガイドを有し、当該一面に対向する他面に第２ガイドを有する保持部材と、を含むハンガーユニットを少なくとも２つ備え、
各前記ハンガーユニットにおける前記第１ガイドと、当該ハンガーユニットのランナーの移動方向に隣接する他の前記ハンガーユニットにおける前記第２ガイドとを連結しつつ、前記第１ガイドおよび前記第２ガイドに沿って移動する連結部材をさらに備えたことを特徴とするカーテン吊りハンガー。
【請求項２】
前記第１ガイドおよび第２ガイドは、略Ｕ字状の被連結部材であることを特徴とする請求項１に記載のカーテン吊りハンガー。
【請求項３】
前記保持部材は、２つの帯状板材から構成され、
前記短冊状カーテンの上端部が、前記２つの帯状板材の間に挟持されることを特徴とする請求項１または２に記載のカーテン吊りハンガー。
【請求項４】
前記短冊状カーテンは、当該短冊状カーテンの上端が前記保持部材の上端から突出するように、前記保持部材に保持されることを特徴とする請求項１〜３のいずれかに記載のカーテン吊りハンガー。
【請求項５】
カーテンレールに沿って移動可能に設けられたランナーに吊支され、複数の短冊状カーテンを吊り下げるカーテン吊りハンガーであって、
前記短冊状カーテンを保持するとともに、一面に第１ガイドを有し、当該一面に対向する他面に第２ガイドを有する保持部材を含むハンガーユニットを少なくとも２つ備え、
各前記ハンガーユニットにおける前記第１ガイドと、当該ハンガーユニットのランナーの移動方向に隣接する他の前記ハンガーユニットにおける前記第２ガイドとを連結しつつ、前記ランナーに吊支されるとともに、前記第１ガイドおよび前記第２ガイドに沿って移動する連結部材をさらに備えたことを特徴とするカーテン吊りハンガー。
【発明の詳細な説明】
【技術分野】
【０００１】
本発明は、カーテンを吊るためのカーテン吊りハンガーに関する。
【背景技術】
【０００２】
従来、防虫、防塵または保温効果の向上のために、間仕切りカーテンが使用されている。間仕切りカーテンとしては、ノレン式のものが多く利用されている。
【０００３】
上記の間仕切りカーテンとしては、２枚のカーテン（シート）の各々の上端を複数のブラケット（フック）で吊り下げるもの（折り畳み型カーテン）がある。この場合、上記のカーテンが作業室の間口の中央を基準として両側に往復動可能に取り付けられる。荷物を搬送等する場合には、一方のカーテンを折りたたむことにより左側に移動させるとともに、他方のカーテンを折りたたむことにより右側に移動させることによって、間口を中央から開口する。
【０００４】
また、間仕切りカーテンの他例としては、複数（３枚以上）のカーテンの各々の上端を、作業室の間口の上端部に固定するもの（短冊型カーテン）がある（例えば、特許文献１参照）。このような短冊型カーテンにおいては、各カーテンは、隣り合うカーテンと一部重なり合うように配される。これにより、カーテンと隣り合うカーテンとの間に隙間が生じるのを防止している。
【特許文献１】特開２００２−３３０８６０号公報
【発明の開示】
【発明が解決しようとする課題】
【０００５】
しかしながら、上述の折り畳み型カーテンは、間口の中央を基準として開閉される構成であるので、当該間口の中央以外の位置から荷物を作業室内に搬送したい場合には、間仕切りカーテンを広範囲に移動させる必要がある。その結果、作業者に手間がかかるとともに、必要以上に間口を開口させるので、防塵効果や保温効果等を向上することが困難となる。
【０００６】
また、上述の短冊型カーテンは、作業室の間口を必要以上に開口する必要がないので防塵効果や保温効果等を向上することは困難ではないが、台車で荷物を作業室内に搬送する場合に、複数のカーテンを両側に押し退ける必要が生じる。その結果、特に軽量の荷物を台車に載置して搬送する場合には、カーテンが荷物に接触し、台車から荷物が落下する危険性がある。
【０００７】
これらの課題に鑑みて、本発明の目的は、作業室内の保温効果や防塵効果を向上することができ、かつ、搬送に危険性が伴うことがなく、搬送が容易となるカーテン吊りハンガーを提供することである。
【課題を解決するための手段】
【０００８】
第１の発明に係るカーテン吊りハンガーの要旨とするところは、カーテンレールに沿って移動可能に設けられたランナーに吊支され、複数の短冊状カーテンを吊り下げるカーテン吊りハンガーであって、
前記ランナーに掛止される掛止部材と、
前記短冊状カーテンを保持するとともに、前記掛止部材に取り付けられ、一面に第１ガイドを有し、当該一面に対向する他面に第２ガイドを有する保持部材と、を含むハンガーユニットを少なくとも２つ備え、
各前記ハンガーユニットにおける前記第１ガイドと、当該ハンガーユニットのランナーの移動方向に隣接する他の前記ハンガーユニットにおける前記第２ガイドとを連結しつつ、前記第１ガイドおよび前記第２ガイドに沿って移動する連結部材をさらに備えたことにある。
【０００９】
前記カーテン吊りハンガーにおいて、前記第１ガイドおよび第２ガイドは、略Ｕ字状の被連結部材であり得る。
【００１０】
前記カーテン吊りハンガーにおいて、前記保持部材は、２つの帯状板材から構成され、
前記短冊状カーテンの上端部が、前記２つの帯状板材の間に挟持され得る。
【００１１】
前記カーテン吊りハンガーにおいて、前記短冊状カーテンは、当該短冊状カーテンの上端が前記保持部材の上端から突出するように、前記保持部材に保持され得る。
【００１２】
第２の発明に係るカーテン吊りハンガーの要旨とするところは、カーテンレールに沿って移動可能に設けられたランナーに吊支され、複数の短冊状カーテンを吊り下げるカーテン吊りハンガーであって、
前記短冊状カーテンを保持するとともに、一面に第１ガイドを有し、当該一面に対向する他面に第２ガイドを有する保持部材を含むハンガーユニットを少なくとも２つ備え、
各前記ハンガーユニットにおける前記第１ガイドと、当該ハンガーユニットのランナーの移動方向に隣接する他の前記ハンガーユニットにおける前記第２ガイドとを連結しつつ、前記ランナーに吊支されるとともに、前記第１ガイドおよび前記第２ガイドに沿って移動する連結部材をさらに備えたことにある。
【発明の効果】
【００１３】
本発明によれば、複数のハンガーユニットにより挟持される複数の短冊状カーテンを、カーテンレールの長さ方向に往復動可能（移動式）に構成することによって、以下の効果が奏される。
【００１４】
第１に、複数の短冊状カーテンを使用することによって、作業室の間口を所望の位置で開口することができる。それにより、作業者は荷物を当該間口の所望の位置から作業室内に搬送することができる。また、間口の端から荷物を搬送する場合に、折り畳み型カーテンのように、カーテンを広範囲に移動させる必要がないので、作業室内の保温効果や防塵効果等を向上することができるとともに、作業者に手間がかからない。
【００１５】
第２に、複数の短冊状カーテンを、カーテンレールの長さ方向に往復動可能に構成することによって、荷物を作業室内に搬送するときに、作業者は、第１ガイドおよび第２ガイドに沿って移動する連結部材を介して短冊状カーテンを所望の範囲で容易に移動させることが可能となる。
【００１６】
固定式の短冊型カーテンの場合、作業者が台車で荷物を作業室内に搬送する際に、当該短冊型カーテンが荷物に接触する可能性が大きい。短冊型カーテンが荷物に接触すると、台車から荷物が落下する場合があり、搬送に危険性が伴う。これに対して、本発明では、搬送中に短冊状カーテンが荷物に接触することがないので、台車から荷物が落下することがなく、搬送に危険性が伴うことはない。したがって、作業室内への荷物の搬送が容易となる。
【００１７】
以上により、本発明に係るカーテン吊りハンガーによれば、作業室内の保温効果や防塵効果を向上することができ、かつ、搬送に危険性が伴うことがなく、荷物の搬送が容易になるという特有の効果が奏される。
【発明を実施するための最良の形態】
【００１８】
以下、本発明の実施の形態に係るカーテン吊りハンガーについて図面を参照しながら説明する。
【００１９】
（第１の実施の形態）
【００２０】
図１は、第１の実施の形態に係るカーテン吊りハンガーの構成を示す斜視図であり、図２は、カーテン吊りハンガーの構成を示す正面図である。
【００２１】
図１および図２に示すように、本実施の形態に係るカーテン吊りハンガー１００は、帯状板材１および帯状板材２（保持部材）、ならびに、Ｓ字状の掛止部材７、Ｕ字状の被連結部材８（第１ガイド）、および後述のＵ字状の被連結部材９（第２ガイド（図１では図示せず））から構成される複数のハンガーユニットを含む。
【００２２】
以下においては、説明の便宜上、上記複数のハンガーユニットとして、２つのハンガーユニット５０ａ，５０ｂを用いる場合について説明する。なお、２つのハンガーユニット５０ａ，５０ｂの構成部材は同一であるので、これらの構成部材を示す符号を同一とする。
【００２３】
帯状板材１と帯状板材２との間に、ビニール製または布製等の短冊状カーテン３が配され、当該短冊状カーテン３の上端部が帯状板材１および帯状板材２により挟持されている。
【００２４】
短冊状カーテン３の幅は、帯状板材１および帯状板材２の幅よりも大きく設定される。また、短冊状カーテン３は、当該短冊状カーテン３の上端面が帯状板材１および帯状板材２の上端面よりも突出するように配される。これにより、後述のカーテンレール５と短冊状カーテン３の上端面との隙間を最小限にすることができるので、保温効果や防塵効果等が損なわれることを抑制することができる。なお、短冊状カーテン３の突出した部分の略中央には、切り欠き３ａが設けられている。
【００２５】
短冊状カーテン３を保持する帯状板材１および帯状板材２の各々の中央には貫通孔４が設けられている。
【００２６】
短冊状カーテン３の上方にはカーテンレール５が設けられている。カーテンレール５には、当該カーテンレール５に沿って往復動可能に複数のランナー（滑車具）６が設けられている。ランナー６の下部にはリング部材６ａが取り付けられている。リング部材６ａは、カーテンレール５の長さ方向に垂直な軸の回りに回動可能な構成となっている。
【００２７】
上記掛止部材７の一端部はリング部材６ａに掛止され、その他端部は帯状板材１および帯状板材２の各貫通孔４に挿入されることにより掛止される。これにより、短冊状カーテン３は、ランナー６を介してカーテンレール５の長さ方向に沿って往復動可能となる。
【００２８】
ハンガーユニット５０ａにおいて、Ｕ字状の被連結部材８は帯状板材１の一面上に立設される。被連結部材８の立設位置は、帯状板材１の中央から端部（図面右側）に寄った位置に設定される。
【００２９】
また、ハンガーユニット５０ａにおいて、後述のＵ字状の被連結部材９（図１では図示せず）は帯状板材２の一面上に立設される。被連結部材９の立設位置は、帯状板材２の中央から端部（図面左側）に寄った位置に設定される。すなわち、被連結部材８と後述の被連結部材９とは略Ｓ字を形成するように配される。なお、被連結部材８と被連結部材９とが略逆Ｓ字を形成するように配されてもよい。
【００３０】
ハンガーユニット５０ｂは、カーテンレール５の長さ方向において上記ハンガーユニット５０ａに隣り合うように配される。ハンガーユニット５０ａに挟持された短冊状カーテン３の一部とハンガーユニット５０ｂに挟持された短冊状カーテン３の一部とは重なり合っている。それにより、防塵効果や保温効果等を向上できる。
【００３１】
ハンガーユニット５０ａの被連結部材８と、ハンガーユニット５０ｂの後述の被連結部材９（図１では図示せず）とは、リング状の連結部材１０により連結される。
【００３２】
図３は、ハンガーユニット５０ａとハンガーユニット５０ｂとの位置関係を示す模式的上面図である。なお、図３においては、帯状板材１と帯状板材２と間に挟持される短冊状カーテン３の図示を省略している。
【００３３】
図３（ａ）は、複数の短冊状カーテン３により作業室の間口を閉じている状態を示している。図３（ａ）に示すように、ハンガーユニット５０ａおよびハンガーユニット５０ｂは、図１のカーテンレール５の長さ方向に並ぶように、連結部材１０によりそれぞれ連結されている。
【００３４】
作業室の間口を開口するには、ハンガーユニット５０ａに対応するランナー６（図１）およびハンガーユニット５０ｂに対応するランナー６（図１）を、カーテンレール５に沿って間口の片側方向へ移動させる。これにより、図３（ｂ）に示すように、図３（ａ）のハンガーユニット５０ａおよびハンガーユニット５０ｂが反時計回りに移動する。ハンガーユニット５０ａとハンガーユニット５０ｂとを連結する連結リング１０は、被連結部材８および被連結部材９に沿って移動する。上記ランナー６（図１）の移動は手動式であっても自動式であってもよい。
【００３５】
ランナー６の移動を自動式で行う場合、例えば２つの滑車間に巻回されるチェーンに当該ランナー６を連結する。そして、２つの滑車のうち一方の滑車を駆動モータにより回転駆動する。これにより、チェーンの移動に伴ってランナー６が移動する。
【００３６】
そして、上記各ランナー６（図１）を、カーテンレール５に沿って間口の片側方向へさらに移動させる。これにより、図３（ｃ）に示すように、図３（ｂ）のハンガーユニット５０ｂは、ハンガーユニット５０ａに対してカーテンレール５の長さ方向に垂直に重なり合う。それにより、複数の短冊状カーテン３（図１）は、その平面方向がカーテンレール５の長さ方向に垂直となるよう配される。このようにして、作業室の間口が開口される。
【００３７】
（第１の実施の形態における主たる効果）
【００３８】
第１の実施の形態においては、複数のハンガーユニットにより挟持される複数の短冊状カーテン３を、カーテンレール５の長さ方向に往復動可能（移動式）に構成することによって、以下の効果が奏される。
【００３９】
第１に、横並びに配された複数の短冊状カーテン３を使用することによって、作業室の間口を所望の位置で開口することができるので、作業者は、荷物を当該間口の所望の位置から作業室内に搬送することができる。また、間口の端から荷物を搬送する場合に、折り畳み型カーテンのように、カーテンを広範囲に移動させる必要がないので、作業室内の保温効果や防塵効果等を向上することができるとともに、作業者に手間がかからない。
【００４０】
第２に、複数の短冊状カーテン３を、カーテンレール５の長さ方向に往復動可能に構成することによって、荷物を作業室内に搬送するときに、作業者は被連結部材８および被連結部材９に沿って移動する連結部材１０を介して短冊状カーテン３を所望の範囲で容易に移動させることが可能となる。
【００４１】
固定式の短冊型カーテンの場合、作業者が台車で荷物を作業室内に搬送する際に、当該短冊型カーテンが荷物に接触する可能性が大きい。短冊型カーテンが荷物に接触すると、台車から荷物が落下する場合があり、搬送に危険性が伴う。これに対して、本実施の形態では、搬送中に短冊状カーテン３が荷物に接触することがないので、台車から荷物が落下することがなく、搬送に危険性が伴うことはない。したがって、作業室内への荷物の搬送が容易となる。
【００４２】
以上により、本発明に係るカーテン吊りハンガー１００によれば、作業室内の保温効果や防塵効果を向上することができ、かつ、搬送に危険性が伴うことがなく、荷物の搬送が容易になるという特有の効果が奏される。
【００４３】
さらに、通常、カーテンの取り付け工事は高所（２〜４ｍの位置）で行われる場合が多いが、本発明では、帯状板材１および帯状板材２に挟持された短冊状カーテン３を、一つずつ順次、掛止部材７を介してランナー６に引っ掛けて、その後、各ハンガーユニットを連結部材１０で連結することができるので、折り畳み型カーテンに比べて、取り付け性に優れている。
【００４４】
（第２の実施の形態）
【００４５】
続いて、第２の実施の形態に係るカーテン吊りハンガーの構成について図面を参照しながら説明する。図４は第２の実施の形態に係るカーテン吊りハンガーの構成を示す正面図であり、図５は当該カーテン吊りハンガーの構成を示す上面図である。
【００４６】
図４および図５に示すように、第２の実施の形態に係るカーテン吊りハンガー１１０の構成が、上述した第１の実施の形態に係るカーテン吊りハンガー１００の構成と異なる点は、次の点である。
【００４７】
本実施の形態に係るカーテン吊りハンガー１１０は、第１の実施の形態におけるハンガーユニット５０ａ，５０ｂの一構成部材であるＳ字状の掛止部材７を備えない構成の複数のハンガーユニットを含む。すなわち、本実施の形態に係るハンガーユニット５１ａ，５１ｂは、帯状板材１および帯状板材２、ならびに、Ｕ字状の被連結部材８および被連結部材９から構成される。
【００４８】
また、本実施の形態に係るカーテン吊りハンガー１１０の構成は、次の点で第１の実施の形態に係るカーテン吊りハンガー１００の構成と異なる。すなわち、ハンガーユニット５１ａの被連結部材８と、ハンガーユニット５１ｂの被連結部材９とは、連結部材１０の代わりに、リング状の連結部材２０により連結されている。当該連結部材２０は固定部材６ｂを介してランナー６に取り付けられている。なお、上記連結部材２０として後述の連結部材１０ａ（図７）を用いることが可能である。
【００４９】
被連結部材８は図示しないビスにより帯状板材１に取り付けられており、被連結部材９はビス１ａにより帯状板材２に取り付けられている。なお、図５においては、上記ビス１ａの図示が省略されている。
【００５０】
このように、本実施の形態においては、被連結部材８と被連結部材９とを連結する連結部材２０をランナー６に取り付けることによって掛止部材７が不要となる。これにより、部品点数を削減することができる。
【００５１】
また、各連結部材２０を各ランナー６に取り付けることによって、一のハンガーユニットの被連結部材８と被連結部材９とが、それぞれ各連結部材２０を介して各ランナー６に吊支される。すなわち、ハンガーユニット５１ａ，５１ｂの両端が連結部材２０を介してランナー６に吊支されるので、短冊状カーテン３が揺れることを防止または抑制することができる。したがって、防塵効果や保温効果をより向上することができる。
【００５２】
さらに、第１の実施の形態のように、短冊状カーテン３に切り欠き３ａを形成する必要がない。それにより、保温効果および防塵効果をより向上することが可能となる。
【００５３】
なお、作業室の間口を開口する場合および閉じる場合におけるハンガーユニット５１ａ，５１ｂの動きは、上述の図３で説明した動きと同様であるので、これらの説明については省略する。
【００５４】
（他の実施の形態）
【００５５】
図６は、上述のカーテン吊りハンガー１００の他の形態を示す模式的上面図である。図６に示すように、他の形態に係るカーテン吊りハンガー１００ａは、上述のカーテン吊りハンガー１００と同様に複数のハンガーユニット（図６では、これらを、ハンガーユニット５０ａ，５０ｂ，５０ｃ，５０ｄ，５０ｅとする）を備える。
【００５６】
本例では、ハンガーユニット５０ａとハンガーユニット５０ｂとは連結部材１０により連結され、ハンガーユニット５０ｃとハンガーユニット５０ｄとは連結部材１０により連結され、ハンガーユニット５０ｄとハンガーユニット５０ｅとは連結部材１０により連結されているが、ハンガーユニット５０ｂとハンガーユニット５０ｃとは連結部材１０により連結されていない。
【００５７】
このように、複数のハンガーユニットのうち、一部のハンガーユニットを連結部材１０により連結しないことによって、荷物の搬送の際に、作業室の間口を小さい範囲で開口する場合、すなわち、当該間口を大きい範囲で開口する必要がない場合に、作業者は、最小限のハンガーユニットを移動させるだけで済む。例えば、ハンガーユニット５０ｂとハンガーユニット５０ｃとが連結部材１０により連結されている場合に、作業室の間口を小さい範囲で開口する際には、ハンガーユニット５０ａを基点として、４つのハンガーユニット５０ｂ，５０ｃ，５０ｄ，５０ｅを移動させる必要が生じるが、図６の例では、ハンガーユニット５０ｂまたはハンガーユニット５０ｃを移動させるだけで、間口を小さい範囲で開口することが可能となる。したがって、作業者に手間がかからない。
【００５８】
図７は、上述の連結部材１０の他の形態を示す模式的平面図である。図７に示すように、他の形態に係る連結部材１０ａは、平面視で略Ｃ字状の連結部材本体２１を備える。この連結部材本体２１の一方の端部には、フィンガー部２２が回動可能に取り付けられている。
【００５９】
フィンガー部２２の先端には嵌合部２３が設けられている。また、連結部材本体２１の他方の端部には、被嵌合部２４が設けられている。嵌合部２３が被嵌合部２４に嵌合されることにより、連結部材１０ａは閉じられたリング状の状態となる。
【００６０】
このような連結部材１０ａを採用することにより、作業者は、ハンガーユニット同士を容易に連結することができるとともに、当該連結部材１０ａの取り外しも容易に行うことができる。
【００６１】
また、上記実施の形態では、第１ガイドおよび第２ガイドとして、Ｕ字状の被連結部材８および被連結部材９を採用することとしたが、これに限定されるものではなく、帯状板材１，２の各々に溝または開口部を設け、この溝同士または開口部同士を連結部材１０により連結する構成を採用してもよい。
【００６２】
また、上記実施の形態では、短冊状カーテン３を帯状板材１および帯状板材２の２枚の帯状板材により挟持することとしたが、これに限定されるものではなく、図８に示すように、当該短冊状カーテン３が１枚の帯状板材１により保持されてもよい。この場合、短冊状カーテン３は、複数のビス１ａにより帯状板材１に固定される。
【００６３】
以上、本発明に係るカーテン吊りハンガーの態様を説明したが、本発明はその趣旨を逸脱しない範囲内で、当業者の知識に基づき種々の改良、修正または変形を加えた態様で実施し得るものであり、これらの態様はいずれも本発明の技術的範囲に属するものである。
【産業上の利用可能性】
【００６４】
本発明に係るカーテン吊りハンガーは、工場内等の作業室の間口を開閉するカーテン等に利用することができる。
【図面の簡単な説明】
【００６５】
【図１】第１の実施の形態に係るカーテン吊りハンガーの構成を示す斜視図である。
【図２】カーテン吊りハンガーの構成を示す正面図である。
【図３】一方のハンガーユニットと他方のハンガーユニットとの位置関係を示す模式的上面図である。
【図４】第２の実施の形態に係るカーテン吊りハンガーの構成を示す正面図である。
【図５】第２の実施の形態に係るカーテン吊りハンガーの構成を示す上面図である。
【図６】カーテン吊りハンガーの他の形態を示す模式的上面図である。
【図７】連結部材の他の形態を示す模式的平面図である。
【図８】短冊状カーテンを１枚の帯状板材により保持する状態を示す斜視図である。
【符号の説明】
【００６６】
１，２  帯状板材（保持部材）
３  短冊状カーテン
５  カーテンレール
６  ランナー
７  掛止部材
８  被連結部材（第１ガイド）
９  被連結部材（第２ガイド）
１０，１０ａ，２０  連結部材
５０ａ，５０ｂ，５０ｃ，５０ｄ，５０ｅ，５１ａ，５１ｂ  ハンガーユニット
１００，１００ａ，１１０  カーテン吊りハンガー
【要約】
【課題】作業室内の保温効果や防塵効果を向上することができ、かつ、搬送に危険性が伴うことがなく、荷物の搬送が容易となるカーテン吊りハンガーを提供する。
【解決手段】帯状板材１と帯状板材２との間に短冊状カーテン３が配され、当該短冊状カーテン３の上端部が帯状板材１および帯状板材２により挟まれている。ハンガーユニット５０ａにおいて、Ｕ字状の被連結部材８は帯状板材１の一面上に立設される。被連結部材８の立設位置は、帯状板材１の中央から端部（図面右側）に寄った位置に設定される。また、ハンガーユニット５０ａにおいて、Ｕ字状の他の被連結部材は帯状板材２の一面上に立設される。当該他の被連結部材の立設位置は、帯状板材２の中央から端部（図面左側）に寄った位置に設定される。ハンガーユニット５０ａの被連結部材８と、ハンガーユニット５０ｂの上記他の被連結部材とは、連結部材１０で連結される。
【選択図】図１【図１】
0004081779.tif 000002
【図２】
0004081779.tif 000003
【図３】
0004081779.tif 000004
【図４】
0004081779.tif 000005
【図５】
0004081779.tif 000006
【図６】
0004081779.tif 000007
【図７】
0004081779.tif 000008
【図８】
0004081779.tif 000009